(57)【要約】【課題】  洗濯後に脱水された洗濯物を他人のものと混ざり合うことなく別々に乾燥する為の乾燥装置の提供。【解決手段】  内側ダクト２の外周に複数の乾燥バケットボビン１，１・・を取付けて内側ダクト２と共に回転することが出来、乾燥バケットボビン１，１・・はその外周が網目又は多数のパンチング穴を形成し、そして、乾燥バケットボビン１，１・・の外側には外側ダクト５を設け、上記内側ダクト２と外側ダクト５との間で温風の吹き出しと排出を交互にするように制御している。【選択図】    図１
2009056207.tif 000002
【特許請求の範囲】
【請求項１】
洗濯後に脱水された洗濯物を別々に乾燥する為の乾燥装置において、内側ダクトの外周に複数の乾燥バケットボビンを取付けて内側ダクトと共に回転することが出来、乾燥バケットボビンはその外周が網目又は多数のパンチング穴を形成し、そして、乾燥バケットボビンの外側には外側ダクトを設け、上記内側ダクトと外側ダクトとの間で温風の吹き出しと排出を交互にするように制御する切換え弁を送風管に設けたことを特徴とする洗濯物の乾燥装置。
【請求項２】
洗濯後に脱水された洗濯物を別々に乾燥する為の乾燥装置において、外側ダクトの内周に複数の乾燥バケットボビンを取付けて外側ダクトと共に回転することが出来、乾燥バケットボビンはその外周が網目又は多数のパンチング穴を形成し、そして、乾燥バケットボビンの内側には内側ダクトを設け、上記外側ダクトと内側ダクトとの間で温風の吹き出しと排出を交互にするように制御する切換え弁を送風管に設けたことを特徴とする洗濯物の乾燥装置。
【請求項３】
洗濯後に脱水された洗濯物を別々に乾燥する為の乾燥装置において、内側ダクトの外周を循環走行するコンベヤを配置し、このコンベヤに複数の乾燥バケットボビンを取付け、乾燥バケットボビンはその外周が網目又は多数のパンチング穴を形成し、そして、上記コンベヤの外側には外側ダクトを設け、上記内側ダクトと外側ダクトとの間で温風の吹き出しと排出を交互にするように制御する切換え弁を送風管に設けたことを特徴とする洗濯物の乾燥装置。
【請求項４】
上記乾燥バケットボビンを内側ダクトに着脱可能に取付けた請求項１記載の洗濯物の乾燥装置。
【請求項５】
上記乾燥バケットボビンを外側ダクトに着脱可能に取付けた請求項１記載の洗濯物の乾燥装置。
【請求項６】
上記乾燥バケットボビンをコンベヤに着脱可能に取付けた請求項３記載の洗濯物の乾燥装置。
【発明の詳細な説明】
【技術分野】
【０００１】
本発明は洗濯物が他人の洗濯物と混ざり合うことがないように、効率よく乾燥する為の乾燥装置に関するものである。
【背景技術】
【０００２】
洗濯機によって洗濯した洗濯物は、脱水機にかけられて大半の水分は除去されるが、その後、乾燥装置に入れて乾燥される。乾燥装置の基本原理は、回転ドラム内に脱水されて湿気のある洗濯物を入れ、温風を送り込んで乾燥するといったものである。ところで、洗濯物の乾燥装置には従来から色々な技術が知られているが、その大半は乾燥効率の向上を目的とした技術である。
【０００３】
特開２００７−１５１７９９号に係る「洗濯乾燥機」は、温風化への加熱効率が改善されて乾燥効率を向上することができ、しかも、水槽の外部において結露が発生することを極力防止することができるようにしている。
従って、一端側が水槽に連通されると共に他端側が水槽の外部に開放する連通管と、この連通管の内部に配置され、当該連通管内を通る空気中の湿気を減少させるフェルトとを備えた構成としている。そこで、乾燥運転時に、水槽内の湿気を多く含んだ温風の一部は、連通管の内部においてフェルトにより湿気が減少された状態で水槽の外部に排気される。
【０００４】
特開２００７−１１７４０４号に係る「洗濯乾燥機」は、洗濯乾燥機における乾燥効率を向上する技術である。
すなわち、トップカバーに形成した洗濯物出し入れ口を開閉する蓋の内部に空気循環除湿風路の一部を構成する温風拡散部を設け、この温風拡散部の下面に乾燥用の温風吹き出し口を設け、温風拡散部に供給された乾燥用の温風を温風吹き出し口から吹き出して連結筒を通して洗濯兼脱水槽内に均一に吹き込んで乾燥効率を向上させる。連結筒には、縦蛇腹部とベローズ部を設けて水平方向の振動（一次共振振動）と上下方向の振動（二次振動）を吸収することが出来る構造と成っている。
【０００５】
特開平５−７６８６号に係る「ドラム式洗濯乾燥機」は、洗濯物の乾燥効率を向上させることを目的とする。
すなわち、 外箱内に固定された水槽と、この水槽内で水平軸にて回転可能に支持され、周壁及び側壁に通水及び通風のための多数の小孔を有するドラムを備え、洗濯、脱水から乾燥までを同一のドラム内でおこなうドラム式洗濯乾燥機において、ドラムを支持する水平軸より上方の水槽側面に取り付けられる乾燥用ヒータと、乾燥用ヒータに送風し、かつ乾燥用ヒータにより加熱された空気をドラム内に循環させる温風循環手段とを備えている。
【０００６】
このように、洗濯乾燥装置に関する色々な技術が知られているが、本発明が目的とする技術は存在しない。業務用の洗濯乾燥装置の場合、大きな回転ドラムに脱水した洗濯物を入れて温風を供給しながら乾燥するが、乾燥に際して他人の洗濯物と必然的に混ざり合う。洗濯される場合はなおさらであるが、他人の衣類と同じドラムに入れて乾燥されることに抵抗を感じる人は多い。
【０００７】
特に女性であれば、見知らぬ人の衣類と混ざり合って一緒なドラムで乾燥されることを嫌い、少なくとも違和感を覚える。家庭用の乾燥装置であれば別々に分けて乾燥することは可能であるが、業務用となれば各個人ごとに乾燥することはコスト面からしても不可能である。
【特許文献１】特開２００７−１５１７９９号に係る「洗濯乾燥機」
【特許文献２】特開２００７−１１７４０４号に係る「洗濯乾燥機」
【特許文献３】特開平５−７６８６号に係る「ドラム式洗濯乾燥機」
【発明の開示】
【発明が解決しようとする課題】
【０００８】
このように、従来の乾燥装置には上記のごとき問題がある。本発明が解決しようとする課題はこの問題点であり、脱水された洗濯物を乾燥するに際して、他人の洗濯物と混ざり合うことなく、しかも効率よく乾燥することが出来る洗濯物の乾燥装置を提供する。
【課題を解決するための手段】
【０００９】
本発明に係る洗濯物の乾燥装置は、複数の乾燥バケットボビンを有し、この乾燥バケットボビンに脱水した洗濯物を入れて乾燥する構造としている。乾燥バケットボビンは周囲を網目又は多数のパンチング穴を形成した筒体であり、周囲の網目又はパンチング穴から温風が流入・流出できる形態と成っている。そして中央には内側ダクトを設け、各乾燥バケットボビンは該内側ダクトの周りに取付けられて回転することが出来る。
【００１０】
そして温風器を備え、該温風器から送り出される温風は上記内側ダクトから周囲の乾燥バケットボビンへ流れる。温風は乾燥バケットボビンの網目又はパンチング穴から中に流れ込み、内部の洗濯物を乾燥することが出来る。そして、乾燥バケットボビンの外側には外側ダクトが設けられ、内側ダクトから吹き出した温風は外側ダクトから排出される。
【００１１】
上記乾燥バケットボビンは内側ダクトと共に回転するが、内側ダクトと切り離して、内側ダクトの外周にコンベヤを配置し、該コンベヤに乾燥バケットボビンを取付けることも出来る。この場合には、内側ダクトは回転することなく固定され、コンベヤの走行にて乾燥バケットボビンは内側抱くとの周りを循環する。さらに、乾燥バケットボビンを外側ダクトに取付けることも可能であり、この場合には、外側ダクトが回転すると共に乾燥バケットボビンが回転する。
【００１２】
ところで、内側ダクト及び外側ダクトの回転構造、又はコンベヤの走行装置の具体的な手段は限定しないことにする。そして、乾燥バケットボビンはダクト及びコンベヤに着脱可能なように取付けることも可能と成る。さらに、本発明では温風を吹き出す向きを所定の時間をおいて切換え、内側ダクトから吹き出す温風は外側ダクトへ排出され、逆に外側ダクトから吹き出す温風は内側ダクトから排出される。その為に、送風管には電磁切換え弁が設けられて制御される。
【発明の効果】
【００１３】
本発明に係る洗濯物の乾燥装置は複数の乾燥バケットボビンを備え、各乾燥バケットボビンに脱水した洗濯物を入れることが出来る。従って、他人の洗濯物と混ざり合うことなく乾燥可能と成り、その為に、安心して業者に洗濯を依頼することが出来る。又、洗濯物の生地質によっては一緒に乾燥することが好ましくない場合、各乾燥バケットボビンに生地質が似通った衣類を入れて乾燥することが出来る。
【００１４】
そして、乾燥バケットボビンはダクトの周囲に取付けられて該ダクトと共に回転したり、該ダクトの周りをコンベヤにて循環走行することで、ダクトから流れ出る温風が網目又はパンチング穴を通って流入する。特に、温風は内側ダクトと外側ダクトから交互に吹き出し、そして外側ダクトと内側ダクトから交互に排出される為に、乾燥バケットボビン内の洗濯物は内外ダクトから吹き出す温風によって攪拌されて、洗濯物は短時間で効率よく乾燥され、しかも乾燥時のシワの発生が抑制される
【実施例】
【００１５】
図１は本発明に係る洗濯物の乾燥装置を示す概略図であり、同図の１は乾燥バケットボビン、２は内側ダクト、３は本体、そして４は正面扉、５は外側ダクトを夫々示している。上記乾燥バケットボビン１，１・・は内側ダクト２の周りに複数本取付けられ、該内側ダクト２と共にゆっくり回転することが出来る。乾燥バケットボビン１は筒形容器であって、網目又は多数のパンチング穴を形成している。
【００１６】
図２は乾燥バケットボビン１を単独で表している実施例である。該乾燥バケットボビン１は円筒を成し、本体筒６の上端には蓋７を有し、該蓋７は本体筒６の上端ツバ８に形成したネジ穴に螺合して取付けられ、該蓋７を外して洗濯物を本体筒６に入れることが出来る。そして、本体筒６の外周は網目９と成っていて、多数の穴を形成し、これら網目の穴から温風が流入・流出することが出来る。
【００１７】
又、本体筒６の外周には２本のレール１０，１０が平行に設けられ、レール１０，１０の先端には凸部１１，１１を形成している。上記内側ダクト２は網目又は多数のパンチング穴を形成した大きな筒体を成し、その周りに複数の乾燥バケットボビン１，１・・が取付けられ、該内側ダクト２からは熱い温風が吹き出して各乾燥バケットボビン１，１・・に当り、乾燥バケットボビン１，１・・の内部へ流入する。内側ダクト２はモータ（図示なし）にてゆっくり回転し、内側ダクト２の内部を流れて外側へ流出する。
【００１８】
内側ダクト２の外周には複数本のレールが取着され、これら各レールには凹溝が連続して形成されている。上記レール１０，１０の凸部１１，１１が凹溝に嵌ることで乾燥バケットボビン１が内側ダクトに取付けられる。勿論、乾燥バケットボビン１の取付け方法は他にも色々ある為に、本発明では乾燥バケットボビンの取付け構造に関して限定しないことにする。
【００１９】
従って、網目又は多数のパンチング穴を形成している乾燥バケットボビン１，１・・に入っている洗濯物は内側ダクト２からの温風にて乾燥する。すなわち、内側ダクト２から出た温風は各乾燥バケットボビン１，１・・を通過し、外側ダクト５へ流出する。外側ダクト５には温風を排出する為に網目又は多数のパンチング穴が形成されている。
【００２０】
ところで、本発明の乾燥装置は内側ダクト２からの温風吹き出しだけでなく、外側ダクト５からも温風を吹き出すことができるように制御される。すなわち、ヒータにて加熱された温風は、送風管の途中に設けた電磁弁の切り替えで、内側ダクト２から吹き出して外側ダクト５へ排出したり、逆に外側ダクト５から吹きだして内側ダクト２へ排出することができるように制御されている。
【００２１】
この場合、乾燥バケットボビン１，１・・は内側ダクト２と共に回転してその位置は変化するために、吹き出す温風が当る向きもランダムに変化する。特に、温風の吹き出しを内側ダクト２と外側ダクト５の切り替えによって、温風の流れは大きく変化し、乾燥バケットボビン１，１・・内の洗濯物はランダムに攪拌される。その結果、乾燥する洗濯物が乾燥バケットボビン１の内面に密着することはなく、乾燥時に発生するシワが抑制される。
【００２２】
図３は本発明の乾燥装置の概略図を表している他の実施例であり、この乾燥装置は内側ダクト１２が回転することなく固定され、固定された内側ダクト１２の周りを乾燥バケットボビン１，１・・が循環する構造と成っている。外周には外側ダクト１３が設けられ、内側ダクト１２と外側ダクト１３の間にはコンベヤ１４が配置され、このコンベヤ１４に載って乾燥バケットボビン１，１・・は循環することが出来る。
【００２３】
ここで、コンベヤ１４としては、ベルトコンベヤであってもチェーンコンベヤであっても構わないが、該コンベヤ１４はガイドに沿って走行し、４隅にはプーリー又はスプロケット１５，１５・・が配置されている。コンベヤ１４，１４は正面側と背面側に配置され、両コンベヤ１４，１４は同速で走行するように、プーリー又はスプロケット１５，１５・・の軸は互いに連結している。そして、１個のプーリー又はスプロケット１５はモーターによって回転駆動し、コンベヤ１４を走行・循環させることが出来る。
【００２４】
この実施例の場合も、内側ダクト１２に対して外側ダクト１３を有し、内側ダクト１２から吹き出した温風は外側ダクト１３へ排出され、逆に外側ダクト１３から吹き出した温風は内側ダクト１２へ排出される。この温風の繰り返し変化する流れによって乾燥バケットボビン１，１・・内の洗濯物は乾燥し、洗濯物が乾燥バケットボビン１の内面にへばり付くこともない。
【００２５】
ところで、コンベヤ１４に乾燥バケットボビン１を取付ける手段は色々あるが、例えばチェーンコンベヤの場合、コンベヤチェーンの一部に取付けリンクを繋ぎ、この取付けリンクに乾燥バケットボビン１を着脱可能に取付けることが出来る。すなわち、ワンタッチ型式でセット可能な取付け構造でなくてはならない。勿論、取り外し出来ない取付け構造とする場合もある。
【図面の簡単な説明】
【００２６】
【図１】本発明に係る洗濯物乾燥装置の概略図。
【図２】乾燥バケットボビンの具体例。
【図３】本発明に係る洗濯物乾燥装置の概略図。
【符号の説明】
【００２７】
１  乾燥バケットボビン
２  内側ダクト
３  本体
４  正面扉
５  外側ダクト
６  本体筒
７  蓋
８  ツバ
９  網目
10  レール
11  凸部
12  内側ダクト
13  外側ダクト
14  コンベヤ
15  スプロケット
【図１】
2009056207.tif 000003
【図２】
2009056207.tif 000004
【図３】
2009056207.tif 000005